(57)【要約】      （修正有）【課題】種々の使用者に適応でき、使用者がハンドルを持ち変えることによってハンドルに対する力の位置や方向が変化しても、その変化に対応して常にハンドルに対する手のフィット感を最良のものにすることのできる安全カミソリを提供する。【解決手段】ハンドル２を形成する一対の側壁部８，８が間隔をあけて長さ方向に延び、両側壁部の間を渡る結合部９，１０によって両側壁部は結合し、両側壁部の上端に、刃及び刃支持部から成り、弾性部１１が前記両側壁部の間の空間の全部又は一部を埋めるように設けられており、両側壁部８，８はハンドル２の幅方向に互いに圧搾可能であって、両側壁部が圧搾されたときに、前記弾性部１１は側壁部の圧搾に対応して変形する。【選択図】図１
2005261543.tif 000002
【特許請求の範囲】
【請求項１】
ハンドルを形成する一対の側壁部が間隔をあけて長さ方向に延び、両側壁部の間を渡る結合部によって両側壁部は結合し、両側壁部の上端に、刃及び刃支持部から成る髭剃り構造を有する安全カミソリであって、弾性部が前記両側壁部の間の空間の全部又は一部を埋めるように設けられており、前記両側壁部はハンドルの幅方向に互いに圧搾可能であって、両側壁部が圧搾されたときに、前記弾性部は側壁部の圧搾に対応して変形することを特徴とする安全カミソリ
【請求項２】
両側壁部の上端を一体に結合する上端結合部を有する請求項１記載の安全カミソリ
【請求項３】
両側壁部の下端を一体に結合する下端結合部を有する請求項１又は請求項２記載の安全カミソリ
【請求項４】
弾性部は弾性部本体とその弾性部本体よりも変形容易に構成された介在弾性部とから成り、弾性部本体が介在弾性部を介して側壁部と結合している請求項１乃至請求項３記載の安全カミソリ
【請求項５】
介在弾性部は弾性部本体と一体に形成されたブリッジである請求項４記載の安全カミソリ
【請求項６】
弾性部本体の上端は両側壁部の上端結合部と上方ブリッジを介して結合され、弾性部本体の下端は両側壁部の下端結合部と下方ブリッジを介して結合され、且つ弾性部本体の両側部はそれぞれ少なくとも１つの側方ブリッジを介して弾性部と対向する側壁部に結合されている請求項５記載の安全カミソリ
【請求項７】
弾性部本体の表面は、両側壁部で構成されるハンドルの表面よりも低い請求項４乃至請求項６記載の安全カミソリ
【請求項８】
弾性部本体はハンドルの長さ方向に延び、弾性部本体の裏面には弾性部本体の長さ方向に列をなす複数のフィンが形成されている請求項４乃至請求項７記載の安全カミソリ
【請求項９】
フィンの自由端部は、両側壁部で構成されるハンドルの裏面と同じ高さである請求項８記載の安全カミソリ
【請求項１０】
弾性部本体の表面に複数の凹部又は孔の少なくとも一方がハンドルの長さ方向に列をなすように形成されている請求項４乃至請求項９記載の安全カミソリ
【請求項１１】
両側壁部の側面及び裏面並びに上端結合部及び下端結合部の裏面に、弾性部と同じ材料の弾性面が形成されている請求項１乃至請求項１０記載の安全カミソリ
【請求項１２】
両側壁部と、下端結合部と、及び該下端結合部に結合する介在弾性部とで囲まれる裏面が、ハンドルを持った手の小指又は薬指の受け部に構成されている請求項４乃至請求項１１記載の安全カミソリ
【発明の詳細な説明】
【技術分野】
【０００１】
本発明は一般大衆が使用する安全カミソリに関する。
【背景技術】
【０００２】
両側壁部の間を渡る結合部によって両側壁部が結合し、この両側壁部が互いに圧搾可能である安全カミソリは存在する（例えば、特許文献１参照。）。
【特許文献１】特開昭６３−３９２７４号公報
【発明の開示】
【発明が解決しようとする課題】
【０００３】
両側壁部の間を渡る結合部によって両側壁部が結合し、この両側壁部が互いに圧搾可能である安全カミソリは前記特許文献１に開示されているように存在している。この開示された安全カミソリは、両側壁部を圧搾することによりその反作用として２つの側壁上部（アーム）を開き、これによって替刃の着脱を行うことを目的とするものであってそれ以外の目的を有しない。
【０００４】
本発明は、前述した特許文献１とは全く異なる目的を持って両側壁部が互いに圧搾可能であることを考え出したのである。すなわち、替刃の着脱のために両側壁部を圧搾可能としたのではない。安全カミソリは非常に多くの人に使用される道具であるから、人によって最適なカミソリハンドルの幅などのサイズが異なることは当然である。そこで、本発明は、単一の安全カミソリであっても種々の使用者に適応できるハンドルを備えた安全カミソリを提供することを目的とする。また、使用者はカミソリハンドルの一箇所を持って使用するのでなく、剃る場所や剃る方向により持ち変えて使用する。そこで、本発明は、ハンドルを持ち変えてハンドルに対する力の位置や方向が変化しても、その変化に対応して常にハンドルに対する手のフィット感を最良のものにすることのできる安全カミソリを提供することを目的とする。
【０００５】
また、安全カミソリには刃がホルダーに対して相対的に固定されている固定式安全カミソリと、刃がホルダーに対して揺動するいわゆる首振り式安全カミソリが存在している。首振り式カミソリは、カミソリホルダーの上端に取り付けられた刃をカミソリホルダーに対して揺動可能としたものである。そして、首振り式カミソリを使用すると、刃が顔の凹凸に対応して揺動するのでヒゲを効率的に剃ることができると言われている。
【０００６】
男性の通常のヒゲ剃りにおいては、カミソリのハンドルを持つ手の力は比較的緩やかである。このようなハンドルの持ち方は首振り式カミソリでないカミソリに適しており、首振り式カミソリを緩やかに持って使用すると首振り式カミソリ独自の効果を十分に得ることができないのである。すなわち、首振り式カミソリを緩やかに持って使用すると、顔の凹凸に応じて刃が揺動する前にカミソリ自体が手の中で揺動してしまうので、刃が揺動することなくヒゲ剃りが行われるのである。このことから明らかなように、カミソリ自体が顔の凹凸によって揺動することのないようにカミソリハンドルはしっかりと手に持つ必要がある。
【０００７】
従来の首振り式カミソリで、髭剃り中にハンドルが圧搾可能なものは存在しない。したがって、使用中にカミソリ自体が顔の凹凸によって揺動することのないようにハンドルをしっかりと手に持っても、すぐに手が痛くなってしまうので長く続けることができない。そこで本発明は、ヒゲ剃り中にハンドルをしっかりと手に持ったときに手が痛くならない安全カミソリを提供することを目的とする。
【課題を解決するための手段】
【０００８】
本発明の請求項１は、ハンドルを形成する一対の側壁部が間隔をあけて長さ方向に延び、両側壁部の間を渡る結合部によって両側壁部は結合し、両側壁部の上端に、刃及び刃支持部から成る髭剃り構造を有する安全カミソリであって、弾性部が前記両側壁部の間の空間の全部又は一部を埋めるように設けられており、前記両側壁部はハンドルの幅方向に互いに圧搾可能であって、両側壁部が圧搾されたときに、前記弾性部は側壁部の圧搾に対応して変形する構成である。
【０００９】
請求項２は、両側壁部の上端を一体に結合する上端結合部を有する要素が請求項１に限定的に付加された構成であり、請求項３は、両側壁部の下端を一体に結合する下端結合部を有する要素が請求項１又は請求項２に限定的に付加された構成である。
【００１０】
請求項４は、弾性部が弾性部本体とその弾性部本体よりも変形容易に構成された介在弾性部とから成り、弾性部本体が介在弾性部を介して側壁部と結合している要素が請求項１乃至請求項３に限定的に付加された構成である。
【００１１】
請求項５は、前記介在弾性部が弾性部本体と一体に形成されたブリッジである要素が請求項４に限定的に付加された構成である。請求項６は、弾性部本体の上端は両側壁部の上端結合部と上方ブリッジを介して結合され、弾性部本体の下端は両側壁部の下端結合部と下方ブリッジを介して結合され、且つ弾性部本体の両側部はそれぞれ少なくとも１つの側方ブリッジを介して弾性部と対向する側壁部に結合されている要素が請求項５に限定的に付加された構成である。
【００１２】
請求項７は、弾性部本体の表面が、両側壁部で構成されるハンドルの表面よりも低い要素が請求項４乃至請求項６に限定的に付加された構成である。請求項８は、弾性部本体がハンドルの長さ方向に延び、弾性部本体の裏面には弾性部本体の長さ方向に列をなす複数のフィンが形成されている要素が請求項４乃至請求項７に限定的に付加された構成である。請求項９は、そのフィンの自由端部が、両側壁部で構成されるハンドルの裏面と同じ高さである要素が請求項８に限定的に付加された構成である。
【００１３】
請求項１０は、弾性部本体の表面に複数の凹部又は孔の少なくとも一方がハンドルの長さ方向に列をなすように形成されている要素が請求項４乃至請求項９に限定的に付加された構成である。請求項１１は、両側壁部の側面及び裏面並びに上端結合部及び下端結合部の裏面に、弾性部と同じ材料の弾性面が形成されている要素が請求項１乃至請求項１０に限定的に付加された構成である。
【００１４】
請求項１２は、両側壁部と、下端結合部と、及びその下端結合部に結合する介在弾性部とで囲まれる裏面が、ハンドルを持った手の小指又は薬指の受け部に構成されている要素が請求項４乃至請求項１１に限定的に付加された構成である。
【発明の効果】
【００１５】
請求項１は、ハンドルを形成する一対の側壁部が間隔をあけて長さ方向に延び、両側壁部の間を渡る結合部によって両側壁部は結合し、弾性部が両側壁部の間の空間の全部又は一部を埋めるように設けられており、両側壁部はハンドルの幅方向に互いに圧搾可能であって、両側壁部が圧搾されたときに、弾性部は側壁部の圧搾に対応して変形する構成である。したがって、使用時にハンドルを手に持って両側壁部を圧搾したときに、圧搾に対応して変形する弾性部が圧搾の抵抗要素となる。そして、弾性部の変形が次第に大きくなるに従って圧搾に対する抵抗力が大きくなるから、両側壁部の過剰な圧搾を防止することができる。これにより、手による圧搾は適度に行われ、ほぼ一定の圧搾状態を保持して安定的な髭剃りをすることができる。また、圧搾した両側壁部を弾性部で弾性的に受けているので、両側壁部を持っている指が痛くなることがない。
【００１６】
請求項２は、両側壁部の上端を一体に結合する上端結合部を有する構成であり、請求項３は、両側壁部の下端を一体に結合する下端結合部を有する構成である。両側壁部の結合部が端部に存在するので両側壁部の圧搾が容易である。上端結合部と下端結合部の双方を設けた場合であっても圧搾は容易である。
【００１７】
請求項４は、弾性部が弾性部本体とその弾性部本体よりも変形容易に構成された介在弾性部とから成り、弾性部本体が介在弾性部を介して側壁部と結合している。したがって、両側壁部を圧搾するときに、最初は変形容易な介在弾性部が変形するので圧搾が容易である。介在弾性部が一杯に変形すると、両側壁部は弾性部本体に当るので、その時点で圧搾はぼぼ終了し圧搾が円滑に行われる。
【００１８】
請求項５は、介在弾性部が弾性部本体と一体に形成されたブリッジである。ブリッジは比較的細く延びているので変形が容易であり、両側壁部の当初の圧搾を容易に行うことができる。請求項６は、弾性部本体の上端は両側壁部の上端結合部と上方ブリッジを介して結合され、弾性部本体の下端は両側壁部の下端結合部と下方ブリッジを介して結合され、且つ弾性部本体の両側部はそれぞれ少なくとも１つの側方ブリッジを介して弾性部と対向する側壁部に結合されている。したがって、弾性部本体をハンドルの長さ方向に細長く延びる形状としたときに、弾性部の上下両端部を上端結合部及び下端結合部に結合することにより、弾性部本体の結合状態が安定する。
【００１９】
請求項７は、弾性部本体の表面が、両側壁部で構成されるハンドルの表面よりも低いので、ハンドルを手に持ったときに弾性部本体が邪魔にならない。また、使用中に弾性部本体が変形しても邪魔にならない。請求項８は、弾性部本体がハンドルの長さ方向に延び、弾性部本体の裏面には弾性部本体の長さ方向に列をなす複数のフィンが形成されている。フィンは皮膚にまとわり付くように変形するから安全カミソリの使用時における滑り止めの効果が非常に大きくなる。また、浴室で安全カミソリを使用した後にケースに収納するときに、フィンが滑り止め作用をなし手が石けんなどで濡れていても安全カミソリを滑り落とすことがない。請求項９は、そのフィンの自由端部が、両側壁部で構成されるハンドルの裏面と同じ高さである。したがって、使用中にフィンが皮膚にすぐに触れるので滑り止めの効果が大である。また、安全カミソリをケースに収納するためにハンドルを手に持ったときに、指がすぐにフィンに触れるので滑り止め効果は安全カミソリを手に持った瞬間から発揮される。
【００２０】
請求項１０は、弾性部本体の表面に複数の凹部又は孔の少なくとも一方がハンドルの長さ方向に列をなすように形成されている。弾性部本体の厚みが大きいときは弾性部本体の弾力の効果がほとんど得られないことになるが、凹部又は孔を設けることによって弾性部本体もいくらか変形しやすくなるので弾力性の効果を得ることができる。請求項１１は、両側壁部の側面及び裏面並びに上端結合部及び下端結合部の裏面に、弾性部と同じ材料の弾性面が形成されている。両側壁部はハンドルの主体をなす部分であるから硬度の大きな材料で形成されているので滑り易い。弾性部は側壁部の材料に比較して摩擦係数が大きいから、安全カミソリの取扱い時に滑り止めの効果を発揮する。特に、滑り止め効果は指先について必要である。両側壁部の側面及び裏面並びに上端結合部及び下端結合部の裏面は安全カミソリの取り扱い中に指先が最も触れる部分であり、そこに摩擦係数の大きな面が形成されているので滑り止めに大きな効果を得られる。
【００２１】
請求項１２は、両側壁部と、下端結合部と、及びその下端結合部に結合する介在弾性部とで囲まれる裏面が、ハンドルを持った手の小指又は薬指の受け部に構成されている。安全カミソリの使用時に両側壁部を圧搾したときに、圧搾するのはほとんど親指と人差し指及び中指であって、薬指と小指は圧搾に関与せず不安定な状態に置かれている。小指又は薬指の受け部を設けることによって、それらの指が受け部に置かれることにより安定したヒゲ剃りをすることができる。
【発明を実施するための最良の形態】
【００２２】
次に発明を実施するための最良の形態について説明する。各図は首振り式安全カミソリであって、使い捨ての安全カミソリのホルダー１について示したものである。首振り式でなく固定式安全カミソリであってもよく、使い捨てでなく替刃式安全カミソリであってもよいことは勿論である。ホルダー１は、ハンドル２と刃支持部３とから成る。また、その刃支持部３は、ハンドル２の上部に一体に形成された首部４と、その首部４の上端両側から上方に延びる一対のアーム５，５と、各アーム５，５の上端に設けられた刃結合装置６，６とから成る。刃結合装置６，６には内向きのジャーナル軸７，７が設けられ、このジャーナル軸７，７がカミソリ刃組立体（図示せず。）のジャーナル軸受けとジャーナル結合し、カミソリ刃組立体は揺動可能に結合される。
【００２３】
ハンドル２を形成する側壁部８，８が長さ方向に間隔をあけて延びており、両側壁部８，８の上端は上端結合部９により結合され、両側壁部８，８の下端は下端結合部１０により結合されている。前述した首部４は上端結合部９に連続して一体に設けられており、首部４から上端結合部９にかけてその両側部は弧状にくびれた形状に形成されている。また、両側壁部８，８は上端結合部９と下端結合部１０の途中部分が両側に弧状に膨らんだ形状をなしている。したがって、両側壁部８，８を押圧して圧搾したときに、押圧部分が側壁部８の他の部分よりも凹んでしまうことがない。押圧部分が他の部分よりも凹んでも使い勝手について大きな影響が生じるわけでないが、押圧部分が他の部分より凹まない方がより良い状態と言える。なお、図１における実際の物品の縦方向長さはほぼ１３０ｍｍであり、ハンドルの幅方向の長さは２５ｍｍである。
【００２４】
両側壁部８，８の間には弾性部本体１１が存在しており、弾性部本体１１の上端と上端結合部９は上方ブリッジ１２を介して結合され、弾性部本体１１の下端と下端結合部１０は下方ブリッジ１３を介して結合されている。また、弾性部本体１１の側部と両側壁部８，８はそれぞれ４ずつの側方ブリッジ１４を介して結合されている。各ブリッジ１２，１３，１４の厚みは弾性部本体１１に対して薄くなるように形成されている。例えば、各ブリッジ１２，１３，１４の厚みが弾性部本体１１の３分の１程度であるが、この数値に限定されないことは勿論である。前述の側方ブリッジ１４はそれぞれハンドル２の幅方向に延びているのではなく、その幅方向に対して傾斜した方向に延びている。この構成によって、ハンドル２を圧搾したときに側方ブリッジ１４の変形が容易となる。図５に示すように、弾性部本体の表面２１は側壁部８の表面よりも低くなるように形成されている。
【００２５】
図６はハンドル２に使用されている材料について示したものであって、側壁部の主体部１５は比較的硬いプラスチックで形成され、さらに、図５に示す首部の主体部１６、図１に示すアーム５，５及び刃結合装置６，６も側壁部の主体部１５と同じ比較的硬いプラスチックで一体に形成されている。これらに対して、弾性部本体１１、各ブリッジ１２，１３，１４及びその他の部分は弾力性のある材料で形成されている。すなわち、図５に示すように、弾性部本体１１と上方ブリッジ１２と上端結合部の裏面部１８は弾力性のある材料で一体に形成されている。同じく図５に示すように、弾性部本体１１と下方ブリッジ１３と下端結合部の裏面部１９は弾力性のある材料で一体に形成されている。首部の裏面部２０も弾力性のある材料で一体に形成されている。さらに、図６に示すように、弾性部本体１１と側方ブリッジ１４，１４と側壁部の裏面部１７，１７も弾力性のある材料で一体に形成されている。また、図４に示すように側壁部８の側面はそれぞれ５つの山形弾性面２６が形成されており、各山形弾性面２６には滑り止めの突条２７が設けられている。ホルダー１の成形方法は、一台の成形機により、硬質プラスチックを射出成形した後にさらに弾力性のある軟質プラスチックを射出成形する二色成形（ダブルインジェクション）による。しかし、この方法に限定されるものでなく、硬質プラスチックと軟質プラスチックを別々に成形した後でそれらを接合する方法でもよく、硬質プラスチックを成形した後に金型から外して他の金型に移し替えてから軟質プラスチックを成形するインサート成形でもよい。
【００２６】
比較的硬いプラスチックとしてはポリプロピレンが好ましいが、その他のプラスチック、例えばＡＢＳ樹脂やポリスチレンなどであってもよい。弾力性のある材料としては例えばエラストマーが用いられる。エラストマーの硬度はショアＡ３５であるが、この値に限定されないことは勿論であって、例えばショアＡ２５〜ショアＡ６０のものを使用することが好ましい。また、エラストマーでなくてもゴムのような弾力性と摩擦係数を有する材料であればいかなるものであってもよい。例えば、シリコーン樹脂であってもよい。さらに、比較的硬いプラスチックの代わりに金属を用いてもよい。弾性部本体１１と各ブリッジに代えて、スプリングのような弾力機能を果す金属又は比較的硬いプラスチックの部材を用いてもよいし、空気圧による弾力を利用した部材を用いてもよい。
【００２７】
図１及び図５に示すように、弾性部本体１１の裏面には多数のフィン２２が弾性部本体１１の長さ方向に列をなすように並んでいる。図５に示すように各フィンの自由端２３は、側壁部８の裏面と同じ高さになるように形成されている。図２及び図５に示すように、弾性部本体１１の表面には９個の楕円形の凹部２４が長さ方向に列をなすように並んでいる。
【００２８】
図３は両側壁部８，８に矢印方向に力を加えて圧搾した状態を示している。両側壁部８，８を圧搾したときに、変形した側方ブリッジ１４からの圧力を受ける凹部２４は円形に近い形状に変形し、その反作用としてそれ以外の凹部２４は短径が非常に短い細長い楕円形に変形する。圧搾する力は矢印の位置に限定されないことは勿論である。また、両側壁部８，８の内形が弾性部本体１１の外形に沿った形状をなしているので、圧搾したときに両側壁部８，８が弾性部本体１１の外形の比較的長い範囲に亘って当たることになる。なお、圧搾はハンドルの両側を押すことによって行われるが、本発明から派生してハンドルの前後を押して圧搾を行う安全カミソリ、あるいは両側壁部の一方のみ変形可能である安全カミソリも設計可能である。さらに、ハンドルの特定された一部又は複数箇所が変形可能になるように設計することもできる。
【００２９】
図５に示すように、側壁部８と下端結合部１０と下方ブリッジ１３とで囲まれた部分に空所が生じ、これがハンドル２を持った手の小指又は薬指の受け部２５として作用する。すなわち、使用時に安全カミソリを持つ手の指の付け根付近がハンドル２の表面に当たるので、小指又は薬指を受け部２５に入れて使用すれば安定的である。また、下端結合部１５の表面側には切欠部２８が形成されている。したがって、その切欠部２８を設けた分だけ図５において左右方向の下端結合部１５の厚みが薄くなるから、両側壁部８，８を圧搾するときにその薄い部分が変形して圧搾し易くなるようにすることもできる。図４から明らかなように、ホルダー１は全体的に裏面側が凹の弧状に形成されている。したがって、裏面を下にして載置されている場合に指を下側に入れて取り上げ易い効果を奏する。
【図面の簡単な説明】
【００３０】
【図１】本発明の裏面図
【図２】本発明の表面図
【図３】両側壁部を圧搾した表面図
【図４】本発明の側面図
【図５】図１におけるＡ−Ａ断面図
【図６】図１におけるＢ−Ｂ端面図
【図７】図１におけるＣ−Ｃ端面図
【符号の説明】
【００３１】
１  ホルダー
２  ハンドル
３  刃支持部
４  首部
５  アーム
６  刃結合装置
７  ジャーナル軸
８  側壁部
９  上端結合部
１０  下端結合部
１１  弾性部本体
１２  上方ブリッジ
１３  下方ブリッジ
１４  側方ブリッジ
１５  側壁部の主体部
１６  首部の主体部
１７  側壁部の裏面部
１８  上端結合部の裏面部
１９  下端結合部の裏面部
２０  首部の裏面部
２１  弾性部本体の表面
２２  フィン
２３  フィンの自由端
２４  凹部
２５  受け部
２６  山形弾性面
２７  突条
２８  切欠部
【図１】
2005261543.tif 000003
【図２】
2005261543.tif 000004
【図３】
2005261543.tif 000005
【図４】
2005261543.tif 000006
【図５】
2005261543.tif 000007
【図６】
2005261543.tif 000008
【図７】
2005261543.tif 000009